(57)【要約】【課題】  狭いスペース内において多数のバッテリーを充電することができ、かつ、多数のバッテリーの装脱作業の効率化を図る上で有利な充電装置を提供する。【解決手段】  バッテリー２は、幅、高さよりも大きな寸法の奥行きを有する断面が矩形の柱状に形成され、その奥行き方向の端部にバッテリー側端子４を有する。充電装置１０は、バッテリー２を収容するバッテリー収容室１２が複数設けられたハウジング１４を備えている。複数のバッテリー収容室１２は、幅、高さ、奥行きを有し、それら奥行き方向を水平方向に向けかつ互いに平行させて水平方向に並べられている。バッテリー収容室１２の奥行き方向の一端に、バッテリー２がその奥行き方向に沿ってバッテリー収容室１２に対して装脱される開口１６が形成されている。バッテリー収容室１２の奥行き方向の他端に、バッテリー２のバッテリー側端子４に係脱可能な充電装置側端子１８が設けられている。【選択図】図１
2007287552.tif 000002
【特許請求の範囲】
【請求項１】
バッテリーを充電する充電装置であって、
前記バッテリーを収容するバッテリー収容室が複数設けられたハウジングを備え、
前記各バッテリー収容室はその奥行きの方向が互いに平行して水平方向に延在するように並べられて設けられ、
前記各バッテリー収容室の奥行きの方向の一端に、前記バッテリーが前記バッテリー収容室に対して装脱される開口が形成され、
前記各バッテリー収容室に、前記バッテリー収容室に収容される前記バッテリーの端子に係脱可能な充電装置側端子が設けられている、
ことを特徴とするバッテリーの充電装置。
【請求項２】
前記複数のバッテリー収容室は水平方向に並べられて設けられ、前記複数の開口は、前記ハウジングを平面視した場合に直線上に並べられて設けられていることを特徴とする請求項１記載のバッテリーの充電装置。
【請求項３】
前記複数のバッテリー収容室は水平方向に並べられて設けられ、前記複数の開口は、前記ハウジングを平面視した場合に直線上に並べられて設けられ、前記ハウジングは平面視長方形を呈し、前記複数の開口は、前記長方形の２つの長辺のうちの一方の長辺に沿って並べられて設けられていることを特徴とする請求項１記載のバッテリーの充電装置。
【請求項４】
前記ハウジングは、互いに平行する上板および底板と、互いに平行する左右の側板と、それら上板、底板、左右の側板の後端を接続する背面板とを有し、
前記複数のバッテリー収容室は、左右の側板の間でかつ上板および底板の間に、水平方向に並べられて設けられていることを特徴とする請求項１記載のバッテリーの充電装置。
【請求項５】
前記ハウジングは、互いに平行する上板および底板と、互いに平行する左右の側板と、それら上板、底板、左右の側板の後端を接続する背面板とを有し、
前記複数のバッテリー収容室は、左右の側板の間でかつ上板および底板の間に、水平方向に並べられて設けられ、
前記各バッテリー収容室は、前記上板の下方に位置して各バッテリー収容室の上方を仕切る上壁と、前記底板の上方に位置して各バッテリー収容室の下方を仕切る底壁と、前記上壁と底壁とにわたって設けられ隣り合う前記バッテリー収容室の側方を仕切る側壁と、前記背面板の前方に位置して各バッテリー収容室の奥部を仕切る奥部壁とにより仕切られ、
前記各開口は、前記上壁、前記底壁、前記側壁の前端で仕切られている、
ことを特徴とする請求項１記載のバッテリーの充電装置。
【請求項６】
前記充電装置側端子は前記底壁の後端または前記奥部壁に設けられている、
ことを特徴とする請求項５記載のバッテリーの充電装置。
【請求項７】
前記ハウジングは、互いに平行する上板および底板と、互いに平行する左右の側板と、それら上板、底板、左右の側板の後端を接続する背面板とを有し、
前記複数のバッテリー収容室は、左右の側板の間でかつ上板および底板の間に、水平方向に並べられて設けられ、
前記各バッテリー収容室は、前記上板の下方に位置して各バッテリー収容室の上方を仕切る上壁と、前記底板の上方に位置して各バッテリー収容室の下方を仕切る底壁と、前記上壁と底壁とにわたって設けられ隣り合う前記バッテリー収容室の側方を仕切る側壁と、前記背面板の前方に位置して各バッテリー収容室の奥部を仕切る奥部壁とにより仕切られ、
前記上板と底板と奥部壁と背面板とで区画される空間に、前記充電装置側端子に接続され充電回路を構成する電子部品が配置されている、
ことを特徴とする請求項１記載のバッテリーの充電装置。
【請求項８】
前記背面板に空気取り入れ口と空気排出口とファンとが設けられ、前記ファンの駆動により外気が空気取り入れ口から前記空間に導入され、前記外気は前記電子部品を冷却したのち前記空気排出口から前記空間外に排出される、
ことを特徴とする請求項７記載のバッテリーの充電装置。
【請求項９】
前記奥部壁に前記バッテリー収容室と前記空間を連通する連通部が設けられ、
前記背面板に空気取り入れ口と空気排出口とファンとが設けられ、前記ファンの駆動により外気が空気取り入れ口から前記空間に導入されると共に前記連通部を通って前記バッテリー収容室内の空気が前記空間に導入され、前記空間に導入された外気と空気は前記電子部品を冷却したのち前記空気排出口から前記空間外に排出される、
ことを特徴とする請求項７記載のバッテリーの充電装置。
【請求項１０】
前記バッテリーはその奥行き方向の一端に前記端子が設けられ、前記充電装置側端子は前記バッテリー収容室の奥行きの方向の他端に設けられ、前記バッテリーが前記バッテリー収容室に収容され前記バッテリーの端子と前記充電装置側端子とが結合した状態で、前記バッテリーの奥行き方向の他端が前記開口の近傍に位置していることを特徴とする請求項１記載のバッテリーの充電装置。
【請求項１１】
前記バッテリー収容室は、放送機器に装脱される大容量の放送機器用のバッテリーを収容することを特徴とする請求項１記載のバッテリーの充電装置。
【請求項１２】
前記バッテリー収容室は、放送機器に装脱される大容量の放送機器用のバッテリーを収容するように構成され、前記ハウジングは、放送機器用に標準化された放送機器用標準ラックの収容空間に収容可能な外形寸法で形成されていることを特徴とする請求項１記載のバッテリーの充電装置。
【請求項１３】
前記放送機器用標準ラックは１９インチラックであり、前記ハウジングの外形寸法のうち水平方向の幅が１９インチであることを特徴とする請求項１２記載のバッテリーの充電装置。
【請求項１４】
前記バッテリー収容室の奥行きは、前記バッテリー収容室の幅、高さよりも大きな寸法を有していることを特徴とする請求項１記載のバッテリーの充電装置。
【発明の詳細な説明】
【技術分野】
【０００１】
本発明はバッテリーの充電装置に関する。
【背景技術】
【０００２】
放送局で使用される放送機器として、例えば、ビデオカメラ、ビデオテープレコーダー（ＶＴＲ）、オーディオ用トランスミッターなどが挙げられる。
このような放送機器として、屋外や出張先などの電源コンセントがない環境で使用できるようにバッテリーによって駆動されるものがある。
このような放送機器の多くは民生機器に比べて消費電力が大きく６０Ｗ乃至９０Ｗ程度の電力を有するバッテリーが必要とされ、そのため、バッテリーは大容量であり大型であり、例えば、高さが６ｃｍ、幅が１０ｃｍ、奥行き（長さ）が１７ｃｍ程度である。
このようなバッテリー駆動の放送機器を使用するにあたっては、１つのバッテリーによる駆動時間が限られていることから、多くの場合、充電されたバッテリーを必要な個数用意しておき、複数のバッテリーを順次交換するようにしている。
バッテリーを充電する充電装置は、机の上や棚の上に載置されるケースと、ケースの上面に上方に開放状に設けられバッテリーが上方から装着されるバッテリー装着部と、バッテリー装着部に設けられた充電装置側端子と、ケース内部に組み込まれ充電装置側端子に充電電流を供給する充電制御回路と、コンセントに接続されることで充電制御回路に電源を供給する電源ケーブルなどを備えている（特許文献１参照）。
【特許文献１】特許第２５９４１３９号
【発明の開示】
【発明が解決しようとする課題】
【０００３】
しかしながら、屋外や出張先などにおいて、ホテルの客室や中継車といったスペースの狭い場所で多数のバッテリーを充電する場合、従来の充電装置は、バッテリーをケースの上方からバッテリー装着部に装着する構造であることから、多数の充電装置を机の上や床の上に平面的に並べて配置しなくてはならない。
そのため、充電装置のケースや電源ケーブルが広いスペースを占有してしまうだけではなく、電源ケーブルをコンセントに接続する際の引き回しの都合上、各充電装置を整列して配置することが困難で、各充電装置の向きや位置がばらばらとなることから、バッテリーの数が増えるほど、バッテリーを充電装置に装脱する作業が繁雑で非効率となる不利があった。
本発明はこのような事情に鑑みなされたもので、その目的は、狭いスペース内において多数のバッテリーを充電することができ、かつ、多数のバッテリーの装脱作業の効率化を図る上で有利な充電装置を提供することにある。
【課題を解決するための手段】
【０００４】
上述の目的を達成するため、本発明は、バッテリーを充電する充電装置であって、前記バッテリーを収容するバッテリー収容室が複数設けられたハウジングを備え、前記各バッテリー収容室はその奥行きの方向が互いに平行して水平方向に延在するように並べて設けられ、前記各バッテリー収容室の奥行きの方向の一端に、前記バッテリーが前記バッテリー収容室に対して装脱される開口が形成され、前記各バッテリー収容室に、前記バッテリー収容室に収容される前記バッテリーの端子に係脱可能な充電装置側端子が設けられていることを特徴とする。
【発明の効果】
【０００５】
本発明の充電装置によれば、複数のバッテリーを水平方向からバッテリー収容室に装脱でき、また、複数のバッテリーをバッテリー収容室に収容できるので、狭いスペース内において多数のバッテリーを整然と整列させて充電することができ、かつ、多数のバッテリーの装脱作業の効率化を図る上で有利となる。
【発明を実施するための最良の形態】
【０００６】
（第１の実施の形態）
次に本発明の実施の形態について図面を参照して説明する。
図１（Ａ）、（Ｂ）は本実施の形態の充電装置１０にバッテリー２が装着された状態を示す斜視図である。
図２は充電装置１０の構成を示す斜視図、図３は充電装置１０における空気の流れを示す説明図である。
図４は充電装置１０の平面図である。
図５は図４のａａ線断面図でありバッテリー２の装着状態を示す図、図６は図４のａａ線断面図でありバッテリー側端子４と充電装置側端子１８とが外れた状態を示す図である。
図７はハウジング１４の分解斜視図、図８は第２の中間部材４０を背面から見た斜視図である。
【０００７】
図１（Ａ）、（Ｂ）、図５、図６に示すように、バッテリー２は、幅、高さよりも大きな寸法の奥行き（長さ）を有する断面が矩形の柱状に形成され、その奥行き方向の端部にバッテリー側端子４を有する。バッテリー２は放送機器用で、例えば、６０Ｗ乃至９０Ｗ程度の電力を出力する大容量を有し、大型であり、例えば、高さが６ｃｍ、幅が１０ｃｍ、奥行きが１７ｃｍ程度である。
充電装置１０は、複数のバッテリー２を充電するものであり、バッテリー２を収容するバッテリー収容室１２が複数設けられたハウジング１４を備えている。本実施の形態では、バッテリー収容室１２は４つ設けられ、図１（Ａ）では、４つのバッテリー収容室１２のうちの３つのバッテリー収容室１２にバッテリー２が収容され、図１（Ｂ）では、４つのバッテリー収容室１２の全てにバッテリー２が収容された状態を表している。
【０００８】
図２に示すように、各バッテリー収容室１２は、幅と高さと奥行きを有し、バッテリー収容室１２の幅と高さは、バッテリー２の幅、高さよりも大きな寸法で形成されている。
複数のバッテリー収容室１２は、それらの奥行きの方向（延在方向）が互いに平行して水平方向に延在するように並べて設けられている。
図２、図５に示すように、バッテリー収容室１２の奥行き方向の一端に、バッテリー２がその奥行き方向（長さ方向）に沿ってバッテリー収容室１２に対して装脱される開口１６が形成されている。
図５、図６に示すように、バッテリー収容室１２の奥行き方向の他端に、バッテリー収容室１２に収容されるバッテリー２のバッテリー側端子４に係脱可能な充電装置側端子１８が設けられている。
【０００９】
図５に示すように、複数のバッテリー収容室１２は、それらバッテリー収容室１２の奥行き方向が水平方向に延在しかつ水平方向に並べられて設けられ、図２に示すように、複数の開口１６は、ハウジング１４を平面視した場合に直線上に並べられて設けられている。
図４に示すように、ハウジング１４は平面視長方形を呈し、複数の開口１６は、長方形の２つの長辺のうちの一方の長辺に沿って並べられて設けられている。
【００１０】
図１（Ａ）、図７に示すように、ハウジング１４は、互いに平行する上板２０および底板２２と、互いに平行する左右の側板２４と、それら上板２０、底板２２、左右の側板２４の後端を接続する背面板２６とを有している。
複数のバッテリー収容室１２は、左右の側板２４の間でかつ上板２０および底板２２の間に、水平方向に並べられて設けられている。
図５、図６に示すように、各バッテリー収容室１２は、上板２０の下方に位置して各バッテリー収容室１２の上方を仕切る上壁２８と、底板２２の上方に位置して各バッテリー収容室１２の下方を仕切る底壁３０と、上壁２８と底壁３０とにわたって設けられ隣り合うバッテリー収容室１２の側方を仕切る側壁３２（図２、図４、図７参照）と、背面板２６の前方に位置して各バッテリー収容室１２の奥部を仕切る奥部壁３４とにより仕切られている。
各開口１６は、上壁２８、底壁３０、側壁３２の前端で仕切られている。
【００１１】
本実施の形態では、ハウジング１４は、図７に示すように、下部材３６と、下部材３６の上に配置される第１の中間部材３８と、第１の中間部材３８の上に配置される第２の中間部材４０と、第２の中間部材４０の上に配置される上部材４２と、第１の中間部材３８と第２の中間部材４０とにわたって設けられる複数の隔壁板４４とを含んで構成されている。
下部材３６は、底板２２を構成する底板部３６Ａと、底板部３６Ａの前端から起立し複数の開口１６が設けられた前板部３６Ｂと、背面板２６を構成する後板部３６Ｃと、底板部３６Ａの左右両端から起立した左右の側板部３６Ｄとを有している。
背面板２６には、スリット状に設けられた空気取り入れ口４６と、円形の空気排出口４８とが形成されている。
【００１２】
図７に示すように、第１の中間部材３８は各バッテリー収容室１２の底壁３０を構成する板部３８Ａと、板部３８Ａの左右両端から下方に屈曲された側板部３８Ｂとを有している。
第１の中間部材３８は、左右の側板部３８Ｂが下部材３６の側板部３６Ｄの内側に重ね合わせて接合され、あるいは、左右の側板部３８Ｂが下部材３６の側板部３６Ｄの外側に重ね合わせて接合されている。
充電装置側端子１８は、各底壁３０の後端に設けられている。なお、充電装置側端子１８を奥部壁３４に設けるようにしてもよい。
第２の中間部材４０は、各バッテリー収容室１２の上壁２８を構成する板部４０Ａと、板部４０Ａの左右両端から下方に屈曲された側板部４０Ｂと、図８に示すように、板部４０Ａの後端と左右の側板部４０Ｂの後端とを連結し奥部壁３４を構成する後板部４０Ｃとを有している。
奥部壁３４の上部にはスリット状の連通部５０が設けられている。
第２の中間部材４０は、左右の側板部４０Ｂが第１の中間部材３８の側板部３８Ｂの外側に重ね合わせて接合され、あるいは、左右の側板部４０Ｂが下部材３６の側板部３６Ｂの内側に重ね合わせて接合され、あるいは、左右の側板部４０Ｂが、下部材３６の左右の側板部３６Ｂの外側に接合された第１の中間部材３８の側板部３８Ｂの外側に重ね合わせて接合されている。
【００１３】
図７に示すように、隔壁板４４は第１の中間部材３８の板部３８Ａと第２の中間部材４０の板部４０Ａとにわたって設けられ、隣り合うバッテリー収容室１２の側方を仕切る側壁３２を構成している。
上部材４２は第２の中間部材４０の板部４０Ａの上方に位置し上板２０を構成する板部４２Ａと、板部４２Ａの左右両側から下方に屈曲され左右の側板２４を構成する側板部４２Ｂとを備えている。
上部材４２は、左右の側板部４２Ｂが下部材３６の側板部３６Ｄの外側に重ね合わせて接合され、あるいは、左右の側板部４２Ｂが、下部材３６の左右の側板部３６Ｄの外側に接合された第２の中間部材４０の側板部４０Ｂの外側に重ね合わせて接合されている。
【００１４】
図２に示すように、上板２０と底板２２と奥部壁３４と背面板２６とで空間Ｓが区画されている。
この空間Ｓは連通部５０を介して各バッテリー収容室１２に連通している。
図５、図６に示すように、空間Ｓには、充電装置側端子１８に接続され充電回路を構成する電子部品５２が配置されている。本実施の形態では、底板２２上に配置されたプリント基板５４に電子部品５２が実装されることで前記充電回路が構成されている。前記充電回路は、電源コンセントに接続された不図示の電源ケーブルから供給される商用電源に基づいてバッテリー２に供給すべき充電電圧（充電電流）を生成する電源部と、前記充電電圧（充電電流）のバッテリー２への供給の制御を行なう充電制御部とを含んでいる。充電制御部は、例えば、各バッテリー収容室１２の開口１６の近傍に設けられた充電表示ランプを、充電動作中に点灯させ、充電完了時に滅灯させる。
【００１５】
図５に示すように、空気排出口４８にファン５６が設けられ、図３に矢印で示すように、ファン５６の駆動により外気が空気取り入れ口４６から空間Ｓに導入されると共に連通部５０を通ってバッテリー収容室１２内の空気が空間Ｓに導入され、空間Ｓに導入された外気と空気は電子部品５２を冷却したのち空気排出口４８から空間Ｓ外に排出されるように構成されている。
【００１６】
なお、図５、図６において符号５８は、バッテリー２がバッテリー収容室１２に収容されバッテリー側端子４と充電装置側端子１８とが結合した状態でバッテリー２の開口１６方向への移動を阻止すると共にバッテリー側端子４と充電装置側端子１８との結合を解除してバッテリー２の奥行き方向の他端を開口１６から突出させる装脱機構を示し、符号６０は、開口１６に設けられた装脱機構５８の押圧用操作部材を示している。なお、本発明は、バッテリー収容室１２が複数設けられたハウジング１４を備える点に特徴を有するものであり、上述の装脱機構には従来公知の様々な構造が採用可能であり、また、装脱機構を有さないものにも本発明は無論適用されるものである。
【００１７】
次に充電装置１０の使用方法について説明する。
バッテリー２を充電する際には、充電しようとするバッテリー２を、その奥行き方向の一端であるバッテリー側端子４が設けられている端部を充電装置２の開口１６に臨ませて挿入し、バッテリー２をバッテリー収容室１２の奥に押し込み、バッテリー側端子４を充電装置側端子１８に結合する。
前記充電制御部は、充電装置側端子１８とバッテリー側端子４の結合を電気的に検出すると、充電表示ランプを点灯させてバッテリー２に対する充電電圧（充電電流）の供給を開始し、充電が終了すると（満充電になると）、バッテリー２に対する充電電圧（充電電流）の供給を停止し、充電表示ランプを滅灯させる。
充電表示ランプが滅灯されたならば、バッテリー２をバッテリー収容室１２から抜き出す。
【００１８】
本実施の形態の充電装置１０によれば、複数のバッテリー収容室１２が、それらバッテリー収容室１２の奥行き方向を水平方向に向け互いに平行させて設けられ、バッテリー収容室１２の奥行き方向の一端に開口１６が形成されているので、狭いスペース内において放送機器用の大型な多数のバッテリー２を整然と整列させて充電することができ、かつ、多数のバッテリー２の装脱作業の効率化を図る上で有利となる。
【００１９】
また、本実施の形態では、複数のバッテリー収容室１２が、それらバッテリー収容室１２の奥行き方向が水平方向に延在するように設けられ、複数の開口１６が、ハウジング１４を平面視した場合に直線上に並べられて設けられているので、図９に示すように、机の上や棚の上の載置面に１台目の充電装置１０を載置し、１台目の充電装置１０の上板２０の上に２台目の充電装置１０を、開口１６の向きを同一にして載置していくことで複数の充電装置１０を順次積み重ねて載置することができる。
このように複数の充電装置１０を積み重ねることによって載置面上における平面的なスペースを大きく占有することなく、多数のバッテリー２を充電することが可能となる。
したがって、特に、屋外や出張先において、ホテルの客室や中継車といった狭いスペースで放送機器用の大型な多数のバッテリーを充電する場合に有利となる。
【００２０】
また、図１０に示すように、放送局や中継車に設置される放送機器１００は、多くの場合、放送機器用に標準化された放送機器用標準ラックに収容保持されている。
この放送機器用標準ラックは、放送機器１００を収容する収容空間（棚）の水平方向の幅が標準化された寸法が、例えば、１９インチに設定されているものであり、放送機器１００はそのような放送機器用標準ラックの１つである１９インチラック１０２に収容可能な幅で形成されている。
したがって、充電装置１０のハウジング１４の幅方向の寸法を１９インチラック１０２に収容できる幅寸法である１９インチにすることによって、充電装置１０を１９インチラック１０２に容易に収容することができ、また、１９インチラック１０２内に複数の充電装置１０を積み重ねて収容でき、放送機器用の大型な多数のバッテリー２を中継車などの狭いスペース内において整然と整列させて充電することができ、したがって、特に、中継車で移動し放送機器を屋外や出張先などで使用する場合に極めて有利となる。
【００２１】
また、ハウジング１４内にバッテリー収容室１２に隣接して空間Ｓを設け、この空間Ｓに充電回路を構成する電子部品５２を配置するようにした。
したがって、複数のバッテリー２を充電するための充電回路を空間Ｓに集中して配置することによりハウジング１４のコンパクト化、すなわち、充電装置１０のコンパクト化を図る上で有利となる。
さらに、複数のバッテリー２を充電するための充電回路を空間Ｓに集中して配置することにより、充電回路に電源を供給するための受電用コネクタや電源ケーブルを単一にでき、多数のバッテリー２を狭いスペース内において整然と整列させて充電する上で有利となる。
【００２２】
また、ハウジング１４内にバッテリー収容室１２に隣接して空間Ｓを設け、この空間Ｓに充電回路を構成する電子部品５２を配置し、この空間Ｓを空気取り入れ口４６、空気排出口４８、ファン５６を介して冷却するようにした。
したがって、充電回路を構成する電子部品５２は充電動作に伴い熱を生じるものの、電子部品５２は、空気取り入れ口４６から導入された外気および連通部５０から導入されたバッテリー収容室１２内の空気により冷却され、電子部品５２を保護する上で有利となる。
また、電子部品５２が配置された空間Ｓは上板２０と底板２２と奥部壁３４と背面板２６とで区画され、各バッテリー収容室１２から仕切られているため、電子部品５２から発生した熱がバッテリー収容室１２のバッテリー２に伝達することを抑制でき、バッテリー２を保護する上で有利となる。
さらに、充電動作時にバッテリー２に熱が生じるものの、バッテリー収容室１２には、開口１６から連通部５０に向かう空気の流れが形成されるため、バッテリー２を冷却することができ、バッテリー２を保護する上で有利となる。
【００２３】
なお、本実施の形態では、バッテリー収容室１２を水平方向に並べた場合について説明したが、本発明は、バッテリー収容室１２を鉛直方向に並べた場合についても無論適用可能である。
また、本実施の形態では、バッテリー２が、その幅、高さよりも大きな寸法の奥行きを有する断面が矩形の柱状に形成されていた場合について説明したが、バッテリーの形状は任意であり、バッテリーの形状に対応してバッテリー収容室の形状が決まり、本発明は、幅、高さよりも小さな寸法の奥行きを有するバッテリーを収容する場合にも無論適用される。
【図面の簡単な説明】
【００２４】
【図１】（Ａ）、（Ｂ）は本実施の形態の充電装置１０にバッテリー２が装着された状態を示す斜視図である。
【図２】充電装置１０の構成を示す斜視図である。
【図３】充電装置１０における空気の流れを示す説明図である。
【図４】充電装置１０の平面図である。
【図５】図４のａａ線断面図でありバッテリー２の装着状態を示す図である。
【図６】図４のａａ線断面図でありバッテリー側端子４と充電装置側端子１８とが外れた状態を示す図である。
【図７】ハウジング１４の分解斜視図である。
【図８】第２の中間部材４０を背面から見た斜視図である。
【図９】複数台の充電装置１０を積み重ねた状態を示す斜視図である。
【図１０】充電装置１０がラック１０２に収容保持された状態を示す説明図である。
【符号の説明】
【００２５】
２……バッテリー、４……バッテリー側端子、１０……充電装置、１２……バッテリー収容室、１４……ハウジング、１６……開口、１８……充電装置側端子。
【図１】
2007287552.tif 000003
【図２】
2007287552.tif 000004
【図３】
2007287552.tif 000005
【図４】
2007287552.tif 000006
【図５】
2007287552.tif 000007
【図６】
2007287552.tif 000008
【図７】
2007287552.tif 000009
【図８】
2007287552.tif 000010
【図９】
2007287552.tif 000011
【図１０】
2007287552.tif 000012
【手続補正書】
【提出日】平成19年4月26日(2007.4.26)
【手続補正１】
【補正対象書類名】明細書
【補正対象項目名】００１２
【補正方法】変更
【補正の内容】
【００１２】
図７に示すように、第１の中間部材３８は各バッテリー収容室１２の底壁３０を構成する板部３８Ａと、板部３８Ａの左右両端から下方に屈曲された側板部３８Ｂとを有している。
第１の中間部材３８は、左右の側板部３８Ｂが下部材３６の側板部３６Ｄの内側に重ね合わせて接合され、あるいは、左右の側板部３８Ｂが下部材３６の側板部３６Ｄの外側に重ね合わせて接合されている。
充電装置側端子１８は、各底壁３０の後端に設けられている。なお、充電装置側端子１８を奥部壁３４に設けるようにしてもよい。
第２の中間部材４０は、各バッテリー収容室１２の上壁２８を構成する板部４０Ａと、板部４０Ａの左右両端から下方に屈曲された側板部４０Ｂと、図８に示すように、板部４０Ａの後端と左右の側板部４０Ｂの後端とを連結し奥部壁３４を構成する後板部４０Ｃとを有している。
奥部壁３４の上部にはスリット状の連通部５０が設けられている。
第２の中間部材４０は、左右の側板部４０Ｂが第１の中間部材３８の側板部３８Ｂの外側に重ね合わせて接合され、あるいは、左右の側板部４０Ｂが下部材３６の側板部３６Ｄの内側に重ね合わせて接合され、あるいは、左右の側板部４０Ｂが、下部材３６の左右の側板部３６Ｄの外側に接合された第１の中間部材３８の側板部３８Ｂの外側に重ね合わせて接合されている。
【手続補正２】
【補正対象書類名】明細書
【補正対象項目名】００１７
【補正方法】変更
【補正の内容】
【００１７】
次に充電装置１０の使用方法について説明する。
バッテリー２を充電する際には、充電しようとするバッテリー２を、その奥行き方向の一端であるバッテリー側端子４が設けられている端部を充電装置１０の開口１６に臨ませて挿入し、バッテリー２をバッテリー収容室１２の奥に押し込み、バッテリー側端子４を充電装置側端子１８に結合する。
前記充電制御部は、充電装置側端子１８とバッテリー側端子４の結合を電気的に検出すると、充電表示ランプを点灯させてバッテリー２に対する充電電圧（充電電流）の供給を開始し、充電が終了すると（満充電になると）、バッテリー２に対する充電電圧（充電電流）の供給を停止し、充電表示ランプを滅灯させる。
充電表示ランプが滅灯されたならば、バッテリー２をバッテリー収容室１２から抜き出す。